(57)【要約】【課題】各種の単色画像の表示状態に任意に切り替え可能として、各単色画像にあっても独立した画質調整を行えるようにする。【解決手段】本発明の実施形態は、表示部と、操作信号に応答して、前記表示部に表示されるフルカラー映像信号の赤、緑、青の色成分の少なくともいずれか１つをオフした色限定表示状態に切り替える表示色設定部と、色限定表示状態での色限定映像信号に対して独自の画質調整を行う画質調整部と、を有する。【選択図】図１
2010206386.tif 000002
【特許請求の範囲】
【請求項１】
選択用操作信号により、表示用として出力されるフルカラー映像信号の赤、緑、青の色成分の少なくともいずれか１つをオフした色限定表示状態に切り替える表示色設定部と、
調整用操作信号により、色限定表示状態での色限定映像信号に対して独自の画質調整を行う画質調整部と、を有することを特徴とする映像信号処理装置。
【請求項２】
前記画質調整部による調整が終了後、一定時間経過後は、前記赤、緑、青の色成分を含む前記フルカラー映像信号の出力状態に復帰させる表示復帰部をさらに有したことを特徴とする請求項１記載の映像信号処理装置。
【請求項３】
前記表示色設定部は、切り替え設定が、操作により、赤、緑、青の色成分の全てを非表示とする設定に移行した場合、このときの設定は実行しないことを特徴とする請求項１記載の映像信号処理装置。
【請求項４】
前記表示色設定部による切り替え設定が、操作により、赤、緑、青の色成分の全てを非表示とする設定に移行した場合、このときの設定は無効であることを示すメッセージを出力するメッセージ出力部を有したことを特徴とする請求項１記載の映像信号処理装置。
【請求項５】
前記表示色設定部による切り替え設定は、リモートコントローラの赤、緑、青のカラーキー操作により、切り替えられ、同一カラーキーの繰り返し操作に応じて該カラーキーに対応した単色映像信号がオンオフを繰り返すことを特徴とする請求項１記載の
映像信号処理装置。
【請求項６】
前記フルカラー映像信号が供給される映像表示部をさらに有したことを特徴とする請求項１記載の映像信号処理装置。
【請求項７】
映像処理部に出力するフルカラー映像信号について制御する制御部を有した映像信号処理装置の制御方法において、
選択用操作信号により、表示用として出力されるフルカラー映像信号の赤、緑、青の色成分のうち、少なくともいずれか１つをオフした色限定表示状態に切り替え、
調整用操作信号により、前記色限定表示状態での色限定映像信号に対して独自の画質調整を行えるようにしたことを特徴とする映像信号処理装置の制御方法。
【発明の詳細な説明】
【技術分野】
【０００１】
本発明は映像信号処理装置及びその制御方法に関し、特にカラー表示及び調整機能について改良を図ったものである。
【背景技術】
【０００２】
テレビジョン放送受信装置は、画質調整機能を搭載している。画質調整機能としては、輝度調整、カラー調整がある。これらの調整機能は、フルカラー映像信号の表示状態において、ユーザの好みの輝度、コントラスト、色合い、色の濃さなどを総合的に調整する機能がほとんどである。また、色表示に関して画質調整を行う技術として例えば特許文献１がある。この特許文献１では、スイッチ回路により陰極線管に単独で青色成分のみを供給し青画面状態とし、この状態でさらにシアンC、マゼンタM、ホワイトW、ブルー信号Bのいずれかを選択的に入力する。そして、各YC状態、YM状態、YW状態,YB状態での輝度を測定し、各状態での輝度が等しくなるように色合いや色の濃さを調整している。この調整のためには、独自の測定装置、コンピュータなどを陰極線管装置に取り付けて作業を行っている。
【先行技術文献】
【特許文献】
【０００３】
【特許文献１】特開平１１−３０５７０９号公報
【発明の概要】
【発明が解決しようとする課題】
【０００４】
最近ではユーザの好みにより青の単色で画像を調整したいという要望がある。このような場合は、単色状態で好みの色合いや色の濃さなどの画質調整が望まれるが有効な技術がない。特に色に対して感覚の鋭いユーザ（専門家・芸術家など）によっては色合いや色の濃さに関しての一層の細かい調整を希望することがある。
【０００５】
そこでこの発明では各種の単色画像の表示状態に任意に切り替え可能として、各単色画像にあっても独立した画質調整を行えるように映像信号処理装置及びその制御方法を提供することを目的とする。
【課題を解決するための手段】
【０００６】
上記の課題を解決するために、本発明は、選択用操作信号により、表示用として出力されるフルカラー映像信号の赤、緑、青の色成分の少なくともいずれか１つをオフした色限定表示状態に切り替える表示色設定部と、調整用操作信号により、色限定表示状態での色限定映像信号に対して独自の画質調整を行う画質調整部とを有する。
【発明の効果】
【０００７】
この発明によると、色限定表示状態での色限定映像信号に対して独自に集中的に色合い、濃さなどを調整することが可能である。この結果、よりユーザの嗜好性により適応し、色合い及び色の濃さなどを高精度で調整した画質を提供することが可能となる。映像に応じて特に注目したい画像の色に対して適切な色を得ることができる。
【図面の簡単な説明】
【０００８】
【図１】本発明の一実施例に係る装置のブロック構成図である。
【図２】図１のリモートコントローラの概観を示す説明図である。
【図３】本発明の装置において色の濃さ、色合いを調整するときの画面の様子を示す説明図である。
【図４】本発明の装置において、各種の色制限表示状態の映像例を示す図である。
【図５】本発明の装置において、色制限設定値を確認する場合の画面の例示す図である。
【発明を実施するための形態】
【０００９】
以下図面を参照して、この発明の実施の形態を説明する。まずこの発明が適用された放送受信装置について概要を説明する。
【００１０】
図１は、上記デジタルテレビジョン放送受信装置４１の主要な信号処理系を示している。すなわち、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００１１】
チューナ４５で選局された放送信号は、ＰＳＫ（Phase Shift Keying）復調器４６に供給されて、デジタルの映像信号及び音声信号に復調された後、信号処理部４７に出力される。
【００１２】
また、地上デジタル放送受信用のアンテナ４８で受信した地上デジタルテレビジョン放送信号は、入力端子４９を介して地上デジタル放送用のチューナ５０に供給されることにより、所望のチャンネルの放送信号が選局される。
【００１３】
チューナ５０で選局された放送信号は、ＯＦＤＭ（Orthogonal Frequency Division Multiplexing）復調器５１に供給されて、デジタルの映像信号及び音声信号に復調された後、信号処理部４７に出力される。
【００１４】
また地上波アナログ信号を受信するアナログチューナ５８も設けられている。アナログチューナ５８で受信された信号は、アナログ復調器５９で復調され信号処理部４７に出力される。
【００１５】
ここで信号処理部４７は、ＰＳＫ復調器４６から供給されたデジタルの映像信号及び音声信号と、ＯＦＤＭ復調器５１から供給されたデジタルの映像信号及び音声信号と、アナログ復調器５９から供給された映像信号及び音声信号と、さらにライン入力端子からの映像信号及び音声信号とに対して、選択的に所定のデジタル信号処理を施し、グラフィック処理部５２及び音声処理部５３に出力している。
【００１６】
このうち、グラフィック処理部５２は、信号処理部４７から供給されるデジタルの映像信号に、ＯＳＤ（On Screen Display）信号生成部５４で生成されるＯＳＤ信号を重畳して出力する機能を有する。また、このグラフィック処理部５２は、信号処理部４７の出力映像信号と、ＯＳＤ信号生成部５４の出力ＯＳＤ信号とを選択的に出力すること、また、両出力を多重したり、画面の半分を構成するように組み合わせて出力することができる。
【００１７】
グラフィック処理部５２から出力されたデジタルの映像信号は、映像処理部５５に供給される。この映像処理部５５は、入力されたデジタルの映像信号を、映像表示器５７で表示可能なフォーマットのアナログ映像信号に変換し、映像表示器５７に出力して映像表示させる。
【００１８】
上記音声処理部５３は、入力されたデジタルの音声信号を、スピーカ５６で再生可能なフォーマットのアナログ音声信号に変換し、スピーカ５６に出力して音声再生させる。
【００１９】
ここで、このデジタルテレビジョン放送受信装置１１は、上記した各種の受信動作を含むその全ての動作を制御部６１によって統括的に制御されている。
【００２０】
制御部６１は、ＣＰＵ（Central Processing Unit）等を内蔵している。操作部７１からの操作情報を受けたとき、または、リモートコントローラ７２から送出された操作情報を受光部７３から受信したとき、制御部６１は、その操作内容が装置に反映されるように各部を統括して制御している。
【００２１】
この場合、制御部６１は、主として、そのＣＰＵが実行する制御プログラムを格納したＲＯＭ（Read Only Memory）６１１と、該ＣＰＵに作業エリアを提供するＲＡＭ（Random Access Memory）６１２と、各種の設定情報及び制御情報等が格納される不揮発性メモリ６１３とを利用している。
【００２２】
制御部６１は、カードＩ／Ｆ（Interface）７５を介して、第１のメモリカード７７が装着可能なカードホルダ７６に接続されている。これによって、制御部６１は、カードホルダ７６に装着された第１のメモリカード７７と、カードＩ／Ｆ７５を介して情報の送受信を行なうことができる。制御部６１は、図示していないが、さらに別のカードＩ／Ｆを介して、第２のメモリカードが装着可能なカードホルダに接続されてもよい。
【００２３】
制御部６１は明るさセンサー７８に接続されている。これにより周囲の明るさ情報を取得し、例えば画面の明るさを自動制御することが可能である。
【００２４】
制御部６１は、通信Ｉ／Ｆ８１を介して第１のＬＡＮ端子８２に接続されている。これにより、制御部６１は、第１のＬＡＮ端子８２に接続されたＬＡＮ対応のＨＤＤ（ハードディスクドライブ装置）と、通信Ｉ／Ｆ８１を介して情報の送受信を行なうことができる。この場合、制御部６１は、ＤＨＣＰ（Dynamic Host Configuration Protocol）サーバ機能を有し、第１のＬＡＮ端子８２に接続されたＬＡＮ対応のＨＤＤにＩＰ（Internet Protocol）アドレスを割り当てて制御している。制御部６１は、図示していないがさらに別の通信Ｉ／Ｆを介して第２のＬＡＮ端子に接続されてもよい。
【００２５】
制御部６１は、ＵＳＢ Ｉ／Ｆ８３を介してＵＳＢ端子８４に接続されている。これにより、制御部６１は、ＵＳＢ端子８４に接続された各機器と、ＵＳＢ Ｉ／Ｆ８３を介して情報の送受信を行なうことができる。
【００２６】
上記制御部６１は、ｉ．Link（登録商標） Ｉ／Ｆ８５を介してｉ．Link（登録商標）端子８６に接続されている。これにより、制御部６１は、ｉ．Link（登録商標）端子８６に接続された各機器と、ｉ．Link（登録商標）Ｉ／Ｆ８５を介して情報の送受信を行なうことができる。
【００２７】
上記制御部６１は、ＨＤＭＩ（High Definition Multimedia Interface）規格に合致したＨＤＭＩ I/F ８７を介してＨＤＭＩ端子８８に接続された各機器と情報の送受信を行なうことができる。
【００２８】
さらに制御部６１は、複数の色成分を含むフルカラー映像信号をいずれか１つの単一色をカットした表示状態に任意に切り替える表示色設定部６２１と、単一色に限定されて表示された状態の色限定映像信号に対して独自の画質調整を行う画質調整部６２２と、を有する。また画質調整時に調整画面を表示するパネル出力部６２３を有する。この状態での画質調整動作については、さらに後で詳しく説明する。さらにまた、調整が終了後一定時間経過したときに、フルカラー映像信号の表示状態を復帰させる表示復帰部６２４、また操作設定がイレギュラーのときに警告を出力するメッセージ出力部６２５を有する。
【００２９】
図２は、上記リモートコントローラ７２の外観を示している。このリモートコントローラ７２には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑のカラーキー１７ｍｂ、１７ｍｒ、１７ｍｇ、チャンネルアップダウンキー１７ｎ、音量調整キー１７ｏ等が設けられている。
【００３０】
番組表キー１７ｈを押すと、番組表が表示される。終了キー１７１を押すと、オンエアー（現在受信中のチャンネルの映像の表示）状態に戻る。
【００３１】
図３（A)は、赤（Red)、緑（Green）、青（Blue）の複数の色成分を含むフルカラー映像信号が表示部５７に表示され、かつ、各色の濃さ「Color」、色合い「Tint」の各項目を調整するための調整パネル１００が映像に重ねて表示された例を示している。図３（A)の場合、赤（Red)の設定が選択された状態を示している。調整する色及び項目は、リコーとコントローラ７２のカーソルキーを操作することで出力される選択操作信号で選択することができる。
【００３２】
図３（B)は、赤（Red)がオフに設定され、緑（Green）がオン、青（Blue）がオンのカラー映像信号が表示部５７に表示された様子を示している。
【００３３】
図３（C)は、赤（Red)がオフに設定され、緑（Green）がオン、青（Blue）がオンのカラー映像信号が表示部５７に表示され、各色の濃さ「Color」の調整項目が選択され調整されている様子を示している。
【００３４】
このように色合い「Tint」の項目も調整することができる。図３（D)は、赤（Red)がオフに設定され、緑（Green）がオン、青（Blue）がオンのカラー映像信号が表示部５７に表示され、色合い「Tint」が調整されていることを示している。この調整もリモートコントローラ７２のカーソルキー或いはアップダウンキーと決定キーなどの操作により調整操作信号を出力することにより可能である。
【００３５】
調整用操作信号による調整が終了後、一定時間経過後は、表示復帰部６１６により、フルカー映像信号の表示状態に復帰する。
【００３６】
図４（A)は、赤、緑、青の複数の色成分を含むフルカラー映像信号が表示部５７に表示された様子を示している。表示部５７は、液晶表示器である。表示部としては、有機EL表示器、プラズマ表示器などであってもよい。
【００３７】
図４（B)は、赤色成分のみの表示状態に切替えた様子を示している。さらに図４（C)は、緑色成分のみの表示状態に切替えた様子を示している。図４（D)は、青色成分のみの表示状態に切替えた様子を示している。図４（E)は、赤と青色成分による表示状態に切替えた様子を示している。図４（F)は、赤と緑色成分による表示状態に切替えた様子を示している。図４（G)は、緑と青色成分による表示状態に切替えた様子を示している。
【００３８】
上記の切り替え操作は、例えばリモートコントローラ７２の青，赤，緑，黄のカラーキー１７ｍｂ、１７ｍｒ、１７ｍｇを直接操作することでえられ、操作信号に対して表示色設定部６２１が応答し、表示色を決定する。
【００３９】
画質調整部６２２による調整が終了後、一定時間経過後は、表示復帰部６２４が、フルカー映像信号の表示状態に復帰させる。表示色設定部６２４は、替え設定が、操作により、赤、緑、青の色成分の全てを非表示とする設定に移行した場合、このときの設定は実行しないようになっている。またまた表示色設定部６２４による切り替え設定が、操作により、赤、緑、青の色成分の全てを非表示とする設定に移行した場合、このときの設定は無効であることをメッセージ出力部６２５がメッセージを表示する。
【００４０】
また表示色設定部６２１による切り替え設定は、リモートコントローラ７２の赤、緑、青カラーキー１７ｍｂ、１７ｍｒ、１７ｍｇを操作することで切り替えられ、同一ボタンの繰り返し操作に応じて該ボタンに対応した単色映像信号がオンオフを繰り返すことができる。
【００４１】
図５は、例えばメニュー画面からカラーモード（Expert Mode）が選択された場合の画面の様子を示している。メニュー画面からカラー設定モード（Expert Setting Mode)が選択されたときは、図３（A）の状態に移行し、カラーキーを操作することで、希望のカラー設定画面に移行するが、メニュー画面からカラーモード（Expert Mode）が選択された場合は、図５に示すように、現在の調整がどのような状態に調整されているかを確認することができる。このときは、パネル出力部６２３の制御の元で現状を表示するカラー状態パネル１０２が現れる。
【００４２】
図５の例であると、赤がオフ、青、緑がオンであり、この状態では色の濃さが６０、色合い９０に設定されていることが理解できる。別の状態を確認しようとすれば、リモートコントローラ７２の例えばカラーキー１７ｍｂを押すことで、青がオフで、赤、緑がオンの設定状態を確認でき、カラーキー１７ｍｒを押すことで、赤がオフで、青、緑がオンの設定状態を確認でき、カラーキー１７ｍｇを押すことで、緑がオフで、赤、青がオンの設定状態を確認できる。再調整する場合には、パネル出力部６２３の制御の元で表示されている編集パネル１０３のボタンをクリックすることで再調整モードに移行することができる。再調整モードのときは、図３に示したような調整パネル１００が表示される。一定時間無操作が経過するかまたは戻るキー１７ｋが操作されると、フルカラー映像表示状態に移行する。
【産業上の利用可能性】
【００４３】
上記したようにこの発明は、映像信号処理装置及びデジタルテレビジョン放送受信装置に用いて有効である。またこの発明は、テレビジョン放送受信装置のみならず記録再生装置、セットトップボックスなどにも適用されて有用である。
【符号の説明】
【００４４】
４５・・・衛星デジタル放送用のチューナ、４６・・・ＰＳＫ復調器、４７・・・信号処理部、４８・・・地上デジタル放送受信用のアンテナ、５１・・・ＯＦＤＭ復調器、５２・・・グラフィック処理部、５３・・・音声処理部、５４・・・ＯＳＤ信号生成部、５５・・・映像処理部、５６・・・スピーカ、５７・・・映像表示器、６１・・・制御部、６２１・・・表示色設定部、６２２・・・画質調整部、６２３・・・パネル出力部、６２４・・・表示復帰部、６２５・・・メッセージ出力部、７２・・・リモートコントローラ。
【図１】
2010206386.tif 000003
【図２】
2010206386.tif 000004
【図３】
2010206386.tif 000005
【図４】
2010206386.tif 000006
【図５】
2010206386.tif 000007
【手続補正書】
【提出日】平成22年6月25日(2010.6.25)
【手続補正１】
【補正対象書類名】特許請求の範囲
【補正対象項目名】全文
【補正方法】変更
【補正の内容】
【特許請求の範囲】
【請求項１】
選択用操作信号により、表示用として出力されているフルカラー映像信号の赤、緑、青のみの色成分を個々にオンオフでき、かつ前記赤、緑、青の色成分の少なくともいずれか１つをオフした色限定表示状態に切り替える表示色設定部と、
調整用操作信号により、前記色限定表示状態で表示された色限定映像信号に対して調整操作に応じた独自の画質調整を行う画質調整部と、
前記色限定状態での前記画質調整部による調整が終了し前記調整操作がなされなくなった後、一定時間経過後は、前記色限定状態から前記赤、緑、青の色成分を含む前記フルカラー映像信号の出力状態に復帰させる表示復帰部
を有することを特徴とする映像信号処理装置。
【請求項２】
前記表示色設定部は、切り替え設定が、操作により、赤、緑、青の色成分の全てを非表示とする設定に移行した場合、このときの設定は実行しないことを特徴とする請求項１記載の映像信号処理装置。
【請求項３】
前記表示色設定部による切り替え設定が、操作により、赤、緑、青の色成分の全てを非表示とする設定に移行した場合、このときの設定は無効であることを示すメッセージを出力するメッセージ出力部を有したことを特徴とする請求項２記載の映像信号処理装置。
【請求項４】
前記表示色設定部による切り替え設定は、リモートコントローラの赤、緑、青のカラーキー操作により、切り替えられ、同一カラーキーの繰り返し操作に応じて該カラーキーに対応した単色映像信号がオンオフを繰り返すことを特徴とする請求項３記載の映像信号処理装置。
【請求項５】
前記フルカラー映像信号が供給される映像表示部をさらに有したことを特徴とする請求項１記載の映像信号処理装置。
【請求項６】
映像処理部に出力するフルカラー映像信号について制御する制御部を有した映像信号処理装置の制御方法において、
選択用操作信号により、表示用として出力されているフルカラー映像信号の赤、緑、青のみの色成分を個々にオンオフでき、かつ前記赤、緑、青の色成分の少なくともいずれか１つをオフした色限定表示状態に切り替え、
調整用操作信号により、前記色限定表示状態で表示された色限定映像信号に対して調整操作に応じた独自の画質調整を行い、
前記色限定状態での前記画質調整部による調整が終了し前記調整操作がなされなくなった後、一定時間経過後は、前記色限定状態から前記赤、緑、青の色成分を含む前記フルカラー映像信号の出力状態に復帰させることを特徴とする映像信号処理装置の制御方法。
【手続補正２】
【補正対象書類名】明細書
【補正対象項目名】０００６
【補正方法】変更
【補正の内容】
【０００６】
この発明は、選択用操作信号により、表示用として出力されているフルカラー映像信号の赤、緑、青のみの色成分を個々にオンオフでき、かつ前記赤、緑、青の色成分の少なくともいずれか１つをオフした色限定表示状態に切り替える表示色設定部と、調整用操作信号により、前記色限定表示状態で表示された色限定映像信号に対して調整操作に応じた独自の画質調整を行う画質調整部と、前記色限定状態での前記画質調整部による調整が終了し前記調整操作がなされなくなった後、一定時間経過後は、前記色限定状態から前記赤、緑、青の色成分を含む前記フルカラー映像信号の出力状態に復帰させる表示復帰部を有する。